(57)【特許請求の範囲】
【請求項１】
木目調を呈するための複数の木目形成凸部を形成してなる木目凹凸模様を有する原板の意匠表面に，下側塗料層及び上側塗料層を順次設けてなる建築板において，
上記上側塗料層は，上記下側塗料層を構成する塗料よりも濃色の塗料により構成されており，
上記木目形成凸部の頂点部に形成された１ｍｍ以上の幅を有する略平坦面と，上記木目形成凸部同士の間に位置する凹部に形成された１５ｍｍ以上の幅を有する底面とには，上記下側塗料層が露出した露出表面が形成されていることを特徴とする建築板。
【請求項２】
請求項１において，上記露出表面は，上記下側塗料層の表面に上記上側塗料層を構成するための塗料を塗布した後，該塗料が乾燥する前に，該塗料の一部を除去することにより形成したものであることを特徴とする建築板。
【請求項３】
請求項１又は２において，上記木目凹凸模様は，上記木目形成凸部と，節部を呈するための節形成凸部とを有していることを特徴とする建築板。
【請求項４】
請求項１〜３のいずれか一項において，上記建築板の意匠表面は，上記木目凹凸模様を形成した模様形成領域と，該模様形成領域よりも陥没した目地溝とを有しており，該目地溝には，上記下側塗料層の表面を上記上側塗料層が覆った被覆表面が形成されていることを特徴とする建築板。
【請求項５】
請求項３又は４において，上記各木目形成凸部は，上記木目調の形成方向に直交する直交方向の断面において，それぞれ上記木目調の中心側に位置する内側壁面が，他方側に位置する外側壁面よりも緩やかな緩傾斜状に形成されていることを特徴とする建築板。
【請求項６】
請求項５において，上記各木目形成凸部における内側壁面には，上記露出表面が形成されていることを特徴とする建築板。
【請求項７】
木目調を呈するための複数の木目形成凸部による木目凹凸模様を形成してなる意匠表面を有する原板を準備する準備工程と，
上記原板の意匠表面に第１塗料を塗布し乾燥して，下側塗料層を形成する下側塗料層形成工程と，
上記下側塗料層の表面に，上記第１塗料よりも濃色の第２塗料を塗布して，上側塗料層を形成する上側塗料層形成工程と，
上記第２塗料が乾燥する前に，上記木目形成凸部の頂点部における１ｍｍ以上の幅を有する略平坦面について上記第２塗料を掻き取ると共に，上記木目形成凸部同士の間に位置する凹部における１５ｍｍ以上の幅を有する底面について上記第２塗料を掻き取って，上記木目形成凸部における略平坦面及び上記凹部における底面に上記下側塗料層が露出した露出表面を形成する掻取り工程とを行うことを特徴とする建築板の製造方法。
【発明の詳細な説明】
【０００１】
【技術分野】
本発明は，建築物の外壁として施工する建築板であって，特に凹凸模様を形成した意匠表面に塗装を行って形成した建築板及びその製造方法に関する。
【０００２】
【従来技術】
例えば，建築物の外壁として施工するために量産される建築板においては，単調な仕上り感を避けるために，建築板の意匠表面の凹凸模様，この意匠表面の塗装の仕方等の工夫がなされている。そして，例えば，特許文献１，２に示すように，上記意匠表面が，自然な外観や，立体的な外観を呈するように努力がなされている。
【０００３】
特許文献１においては，建築板の意匠表面に，平坦部分とこの平坦部分より陥没形成した模様凹部とを有しており，上記平坦凸部と上記模様凹部との色調を異ならせることにより，意匠表面が自然な外観を呈する建築板を形成している。
また，特許文献２においては，建築板の意匠表面に木目調を呈する凹凸模様を形成し，この凹凸模様における凸部と凹部との色彩を異ならせることにより，意匠表面が立体的な外観を呈する建築板を形成している。
【０００４】
【特許文献１】
特開平１１−３１０４８５号公報
【特許文献２】
特開平１０−３１７６３１号公報
【０００５】
【解決しようとする課題】
しかしながら，上記特許文献１の建築板においては，上記意匠表面に表現する色調の違いは，上記平坦部分における模様凹部の陥没に対応して形成されたものである。すなわち，この色調の違いは，上記模様凹部の意匠表面突出高さが，上記平坦部分よりも低いことにより形成されたものである。
【０００６】
また，上記特許文献２の建築板においては，上記意匠表面に表現する色彩の違いは，上記凹凸模様における凸部の突出に対応して形成されたものである。すなわち，この色彩の違いは，上記凸部の意匠表面突出高さが，上記凹部よりも高いことにより形成されたものである。
そのため，上記従来の建築板における色調又は色彩の変化は，あくまでも建築板の意匠表面における各部の意匠表面突出高さの違いに対応して形成されてものである。そのため，建築板の意匠表面に，より複雑な意匠外観を形成するためには，一層の工夫が必要とされる。
【０００７】
本発明は，かかる従来の問題点に鑑みてなされたもので，木目凹凸模様の木目形成凸部だけにおいて，また凹部だけにおいても異なる色外観を呈することができ，より複雑な木目調の意匠外観を呈することができる建築板及びその製造方法を提供しようとするものである。
【０００８】
【課題の解決手段】
第１の発明は，木目調を呈するための複数の木目形成凸部を形成してなる木目凹凸模様を有する原板の意匠表面に，下側塗料層及び上側塗料層を順次設けてなる建築板において，
上記上側塗料層は，上記下側塗料層を構成する塗料よりも濃色の塗料により構成されており，
上記木目形成凸部の頂点部に形成された１ｍｍ以上の幅を有する略平坦面と，上記木目形成凸部同士の間に位置する凹部に形成された１５ｍｍ以上の幅を有する底面とには，上記下側塗料層が露出した露出表面が形成されていることを特徴とする建築板にある（請求項１）。
【０００９】
本発明の建築板は，下側塗料層の表面にこの下側塗料層を構成する塗料よりも濃色の塗料により構成された上側塗料層を有してなるものである。
そして，上記木目形成凸部の頂点部に形成された１ｍｍ以上の幅を有する略平坦面と，上記凹部に形成された１５ｍｍ以上の幅を有する底面とには，上記上側塗料層を構成する塗料よりも淡色の塗料により構成された下側塗料層が露出してなる露出表面が形成されている。また，木目形成凸部及び凹部における露出表面が形成されていない残りの部分には，下側塗料層の表面を上記濃色の塗料による上側塗料層が覆った被覆表面が形成されている。
【００１０】
具体的には，上記被覆表面は，上記木目形成凸部の頂点部に形成された１ｍｍ未満の幅を有する略平坦面と，上記凹部に形成された１５ｍｍ未満の幅を有する底面とに形成されている。
ここで，上記幅とは，上記木目調の形成方向に直交する直交方向の断面における幅のことをいう。
また，木目形成凸部の頂点部においては，上記略平坦面が形成されておらず，鋭角状の曲状端部が形成されていることもある。この場合には，この曲状端部には上記被覆表面が形成されている。
【００１１】
本発明の建築板の意匠表面においては，上記木目凹凸模様の木目形成凸部だけにおいて，また上記凹部だけにおいても，上記下側塗料層による淡色の色外観を呈する露出表面と，上記上側塗料層による濃色の色外観を呈する被覆表面とが混在する。そのため，本発明の建築板の意匠表面は，従来のように各部（凹凸）の意匠表面突出高さの違いに対応して異なる色外観を呈するのではなく，木目形成凸部だけにおいて，また凹部だけにおいても異なる色外観を呈することができる。それ故，本発明の建築板の意匠表面は，より複雑な木目調の意匠外観を呈することができる。
【００１２】
第２の発明は，木目調を呈するための複数の木目形成凸部による木目凹凸模様を形成してなる意匠表面を有する原板を準備する準備工程と，
上記原板の意匠表面に第１塗料を塗布し乾燥して，下側塗料層を形成する下側塗料層形成工程と，
上記下側塗料層の表面に，上記第１塗料よりも濃色の第２塗料を塗布して，上側塗料層を形成する上側塗料層形成工程と，
上記第２塗料が乾燥する前に，上記木目形成凸部の頂点部における１ｍｍ以上の幅を有する略平坦面について上記第２塗料を掻き取ると共に，上記木目形成凸部同士の間に位置する凹部における１５ｍｍ以上の幅を有する底面について上記第２塗料を掻き取って，上記木目形成凸部における略平坦面及び上記凹部における底面に上記下側塗料層が露出した露出表面を形成する掻取り工程とを行うことを特徴とする建築板の製造方法にある（請求項７）。
【００１３】
本発明の製造方法においては，上記準備工程，上記下側塗料層形成工程，上側塗料層形成工程及び上記掻取り工程を行うことによって，上述した優れた作用効果を有する建築板を効率的に製造することができる。
そして，上記各工程を行うことによって，上記木目形成凸部の頂点部における１ｍｍ以上の幅を有する略平坦面と，上記凹部における１５ｍｍ以上の幅を有する底面とには，上記上側塗料層を構成する塗料よりも淡色の塗料により形成された下側塗料層が露出してなる露出表面が形成される。また，木目形成凸部及び凹部における露出表面が形成されていない残りの部分には，下側塗料層の表面を上記濃色の塗料による上側塗料層が覆った被覆表面が形成される。
【００１４】
これにより，上記発明と同様に，上記建築板の意匠表面においては，上記木目形成凸部だけにおいて，また凹部だけにおいても，下側塗料層による淡色の色外観を呈する露出表面と，上側塗料層による濃色の色外観を呈する被覆表面とが混在する。
そのため，本発明の製造方法によれば，木目凹凸模様の木目形成凸部だけにおいて，また凹部だけにおいても異なる色外観を呈することができ，より複雑な木目調の意匠外観を呈することができる建築板を効率的に製造することができる。
【００１５】
また，上記掻取り工程において，上記木目形成凸部の頂点部における１ｍｍ以上の幅を有する略平坦面と，上記凹部における１５ｍｍ以上の幅を有する底面とに露出表面を形成できる理由は，以下のように考える。
すなわち，上記木目形成凸部の頂点部には，１ｍｍ未満の幅を有する略平坦面も形成されている。そして，上記木目形成凸部における１ｍｍ以上の幅を有する略平坦面は，１ｍｍ未満の幅を有する略平坦面よりも大きな接触面積で掻取り具に当接する。そのため，この当接の際に，木目形成凸部における１ｍｍ以上の幅を有する略平坦面に塗布された第２塗料が掻取り具に付着して掻き取られ，上記露出表面を形成すると考える。
【００１６】
一方で，木目形成凸部における１ｍｍ未満の幅を有する略平坦面は，１ｍｍ以上の幅を有する略平坦面よりも掻取り具に当接する接触面積が小さい。そのため，この当接の際に，木目形成凸部における１ｍｍ未満の幅を有する略平坦面に塗布された第２塗料が掻取り具に付着して掻き取られることはあっても，この掻き取られた部分がその周辺の第２塗料により補填されることによって上記被覆表面を形成すると考える。また，木目形成凸部における１ｍｍ未満の幅を有する略平坦面に塗布された第２塗料は，掻取り具に掻き取られることなく，この略平坦面へと引っ張られて，この略平坦面に残存することもあると考える。
【００１７】
また，上記凹部には，１５ｍｍ未満の幅を有する底面も形成されている。そして，上記凹部における１５ｍｍ以上の幅を有する底面は，その幅が大きいことにより掻取り具に当接することができる。そのため，この当接の際に，凹部における１５ｍｍ以上の幅を有する底面に塗布された第２塗料が掻取り具に付着して掻き取られ，上記露出表面を形成すると考える。
【００１８】
一方で，凹部における１５ｍｍ未満の幅を有する底面は，その幅が狭いために掻取り具に当接しないことが多い。そのため，この当接の際に，凹部における１５ｍｍ未満の幅を有する底面に塗布された第２塗料は，掻取り具に付着することなく，この底面に残存し，上記被覆表面を形成すると考える。
【００１９】
【発明の実施の形態】
上述した本発明における好ましい実施の形態につき説明する。
上記第１，第２の発明において，上記露出表面を形成した木目形成凸部の頂点部における略平坦面の幅の上限は，建築板の意匠表面に形成する木目調の外観意匠性から考慮して１５ｍｍ未満とすることが好ましい。
また，上記露出表面を形成した木目形成凸部の頂点部における略平坦面の幅が１ｍｍ未満である場合には，この露出表面を形成することが困難になる。
【００２０】
また，上記露出表面を形成した凹部における底面の幅の上限は，建築板の意匠表面に形成する木目調の外観意匠性から考慮して５０ｍｍ未満とすることが好ましい。
また，上記露出表面を形成した凹部における底面の幅が１５ｍｍ未満である場合には，この露出表面を形成することが困難になる。
また，上記凹部の底面に対する上記木目形成凸部の頂点部までの高さは，０．５〜３ｍｍとすることが好ましい。
【００２１】
また，上記第１の発明において，上記露出表面は，上記下側塗料層の表面に上記上側塗料層を構成するための塗料を塗布した後，該塗料が乾燥する前に，該塗料の一部を除去することにより形成したものであることが好ましい（請求項２）。
この場合には，上記下側塗料層の表面に上記上側塗料層を形成するための塗料を塗布し，その後，この塗料の一部を除去して上記露出表面を形成することができる。そのため，上記露出表面を，特別な塗装等を行うことなく，容易かつ効率的に形成することができる。
【００２２】
また，上記塗料の除去は，上記上側塗料層を構成する塗料を塗布した建築板の意匠表面に，掻取り具を当接させて，上記塗料の一部を掻き取ることによって行うことができる。この場合には，木目形成凸部における１ｍｍ以上の幅を有する略平坦面が，１ｍｍ未満の幅を有する略平坦面よりも大きな接触面積で掻取り具に当接することを利用して，上記露出表面を形成することができる。
また，凹部における１５ｍｍ以上の幅を有する底面が掻取り具に当接し，１５ｍｍ未満の幅を有する底面が掻取り具に当接しないことを利用して，上記露出表面を形成することができる。
【００２３】
また，上記木目凹凸模様は，上記木目形成凸部と，節部を呈するための節形成凸部とを有していることが好ましい（請求項３）。
この場合には，上記木目形成凸部の頂点部における１ｍｍ以上の幅を有する略平坦面だけでなく，上記節形成凸部の頂点部に形成された１ｍｍ以上の幅を有する略平坦面にも上記露出表面を形成することができる。そのため，上記建築板は，上記木目形成凸部及び節形成凸部により，実際の木材に近似したリアリティのある意匠外観を呈することができる。
【００２４】
また，上記建築板の意匠表面は，上記木目凹凸模様を形成した模様形成領域と，該模様形成領域よりも陥没した目地溝とを有しており，該目地溝には，上記下側塗料層の表面を上記上側塗料層が覆った被覆表面が形成されていることが好ましい（請求項４）。
この場合には，上記模様形成領域と上記目地溝とを有する建築板において，目地溝には上記被覆表面を形成することにより，目地溝が目立たないようにして，上記模様形成領域における木目凹凸模様に形成した露出表面を際立たせることができる。
【００２５】
また，上記目地溝は，建築物の外壁に複数の建築板を横方向又は縦方向に並べて施工したときに，建築板同士の間の繋ぎ目が目立たなくすることを意図して形成することができる。すなわち，目地溝は，建築板の一方側の端部には，この目地溝の底面及び一方側壁を形成し，建築板の他方側の端部には，この目地溝の他方側壁を形成して，建築板を横方向又は縦方向に並べて施工したときに１つの目地溝を形成するよう構成することができる（図８参照）。また，目地溝は，建築板の両端部同士の間にも，所定の間隔を保って形成することができる。
【００２６】
また，上記各木目形成凸部は，上記木目調の形成方向に直交する直交方向の断面において，それぞれ上記木目調の中心側に位置する内側壁面が，他方側に位置する外側壁面よりも緩やかな緩傾斜状に形成されていることが好ましい（請求項５）。
【００２７】
ところで，上記木目調とは，樹木を挽いた断面において，この樹木の内部に形成された年輪により呈する外観とほぼ同様の外観もしくはこれに近似した外観のことをいう。また，上記木目調の中心側とは，この木目調で表現しようとする樹木の中心，すなわち樹木の髄のある側をいう。よって，上記木目調の中心側は，必ずしも上記意匠表面の中心側に位置するものではなく，場合によっては意匠表面の端部に位置することもある。
また，上記木目調の形成方向とは，この木目調が表現しようとする樹木の長手方向（樹木が伸びる方向）のことをいう。
【００２８】
上記の場合には，各木目形成凸部における内側壁面は，上記木目調の中心側を向く明確な方向性を有して形成されており，上記緩傾斜状の内側壁面には光が照射され易く，外側壁面には光が照射され難い状態を形成することができる。そのため，上記木目調の中心側を向く内側壁面は明るい外観を呈し，この中心側とは反対側の他方側を向く外側壁面は暗い外観を呈することができる。
そのため，上記建築板の意匠表面の各木目形成凸部に意図的に陰影効果を発揮させることができ，上記建築板は，リアリティのある立体的な木目調の意匠外観を呈することができる。
【００２９】
また，上記各木目形成凸部における内側壁面には，上記露出表面が形成されていることが好ましい（請求項６）。
この場合には，上記内側壁面は，上記淡色の塗料からなる下側塗料層により一層明るい外観を呈し，一方で，上記外側壁面は，上記濃色の塗料からなる上側塗料層により一層暗い外観を呈することができる。そのため，上記各木目形成凸部に，一層明確な陰影効果を発揮させることができ，上記建築板は，一層リアリティのある立体的な木目調の意匠外観を呈することができる。
【００３０】
また，上記第１，第２の発明において，上記露出表面は，上記下側塗料層の表面に上記上側塗料層を構成するための塗料を塗布した後，該塗料が乾燥する前に，上記木目形成凸部のいずれに対しても，掻取り具を当接させて形成することができる。この場合には，掻取り具に特別な工夫を必要とすることがなく，一層容易かつ効率的に上記露出表面を形成することができる。
【００３１】
【実施例】
以下に，図面を用いて本発明の建築板及びその製造方法にかかる実施例につき説明する。
本例の建築板１は，図１〜図３に示すごとく，木目調を呈するための多数の木目形成凸部２１を形成してなる木目凹凸模様２０３を有する原板２の意匠表面２０１に，下側塗料層３及び上側塗料層４を順次設けてなるものである。また，上記上側塗料層４は，上記下側塗料層３を構成する淡色の第１塗料３０よりも色彩が濃い濃色の第２塗料４０により構成されている。
【００３２】
上記各木目形成凸部２１においては，その頂点部２１０に略平坦状の略平坦面２１１を形成してなる平坦凸部２１Ａと，その頂点部２１０に鋭角状の曲状端部２１２を形成してなる曲状凸部２１Ｂとがある。また，各木目形成凸部２１同士の間に位置する各凹部２２には，略平坦状の底面２２１を形成してなる平坦凹部２２Ａと，曲状の曲状面２２２を形成してなる曲状凹部２２Ｂとがある。
【００３３】
そして，上記木目形成凸部２１による上記木目調の形成方向（木目調の長尺方向）Ｌに直交する直交方向Ｗの幅が１ｍｍ以上である平坦凸部２１Ａにおける略平坦面２１１には，上記下側塗料層３が露出した露出表面１０１が形成されている。また，上記直交方向Ｗの幅が１ｍｍ未満である平坦凸部２１Ａにおける略平坦面２１１には，上記下側塗料層３の表面を上記上側塗料層４が覆った被覆表面１０２が形成されている。
【００３４】
また，上記直交方向Ｗの幅が１５ｍｍ以上である上記平坦凹部２２Ａにおける底面２２１には，上記下側塗料層３が露出した露出表面１０１が形成されている。また，上記直交方向Ｗの幅が１５ｍｍ未満である上記平坦凹部２２Ａにおける底面２２１には，上記被覆表面１０２が形成されている。
また，上記曲状凸部２１Ｂ及び上記曲状凹部２２Ｂにも，上記被覆表面１０２が形成されている。
【００３５】
以下に，これを詳説する。
図１〜図３に示すごとく，本例の建築板１は，量産可能な窯業系建築板１でありながら，木材を挽いたときの切断面の外観に近似した木目調の凹凸外観を有するものである。
図１，図２は，上記建築板１を，上記木目調の形成方向（長尺方向）Ｌに直交する直交方向Ｗにおいて切断して観察した断面説明図である。なお，これらの図は説明用の模式図なので，木目形成凸部２１及び凹部２２が，実際にはこれらの図に示した数よりも多数形成されている。
【００３６】
図１，図２に示すごとく，上記平坦凸部２１Ａにおける略平坦面２１１は，必ずしも平坦である必要はなく，若干円弧凸状に曲がって形成されていてもよい。
また，上記平坦凹部２２Ａにおける底面２２１は，必ずしも平坦である必要はなく，若干曲がって形成されていてもよい。
【００３７】
上記平坦凸部２１Ａ又は曲状凸部２１Ｂである各木目形成凸部２１は，上記建築板１が表現しようとする木材（樹木）における年輪の晩材部を表現するものであり，上記平坦凹部２２Ａ又は曲状凹部２２Ｂである各凹部２２は，上記年輪の早材部を表現するものである。
上記早材部とは，１年間に形成される１年輪において，春から初夏にかけて樹木の成長が早い時期にできる部分をいい，上記晩材部とは，初夏以後，樹木の生長が緩やかな時期にできる部分をいう。
本例の各木目形成凸部２１は，上記年輪の外観を呈する木材（樹木）において，晩材部の硬さが早材部の硬さよりも硬いことに対応して，各凹部２２よりも突出させて形成したものである。
【００３８】
また，図１，図２に示すごとく，上記各木目形成凸部２１は，上記直交方向Ｗの断面において，それぞれ上記木目調の中心側Ｃに位置する内側壁面２１５が，他方側Ｄに位置する外側壁面２１６よりも緩やかな緩傾斜状に形成されている。
なお，木目調の中心側Ｃとは，この木目調で表現しようとする樹木の中心Ｏ，すなわち樹木の髄Ｏのある側をいう（図４参照）。
そして，上記内側壁面２１５は，樹木の１年輪の形成過程において，早材部から晩材部に移り変わるときの年輪の状態を表現しており，上記外側壁面２１６は，晩材部から早材部に移り変わるときの年輪の状態を表現している。
【００３９】
すなわち，上記内側壁面２１５は，早材部から晩材部に移り変わるときには，徐々に年輪の硬さが増加することに対応して形成されており，上記外側壁面２１６は，晩材部から早材部に移り変わるときには，急激に年輪の硬さが減少することに対応して形成されたものである。
そして，上記内側壁面２１５及び外側壁面２１６はいずれも傾斜状に形成されており，内側壁面２１５の傾斜角度は外側壁面２１６の傾斜角度よりも緩やかに形成されている。
【００４０】
図１〜図３に示すごとく，上記各木目形成凸部２１及び各凹部２２は，木目調における柾目部を呈するための柾目形成部２０５と，木目調における板目部を呈するための板目形成部２０６として形成されている。そして，上記１ｍｍ以上の直交方向Ｗの幅を有する略平坦面２１１を備えた平坦凸部２１Ａのほとんどは，上記板目形成部２０６において形成されている。一方で，上記１ｍｍ未満の直交方向Ｗの幅を有する略平坦面２１１を備えた平坦凸部２１Ａ，及び上記曲状端部２１２を備えた曲状凸部２１Ｂのほとんどは，上記柾目形成部２０５において形成されている。
【００４１】
また，上記１５ｍｍ以上の直交方向Ｗの幅を有する底面２２１を備えた平坦凹部２２Ａのほとんどは，上記板目形成部２０６において形成されている。一方で，上記１５ｍｍ未満の直交方向Ｗの幅を有する底面２２１を備えた平坦凹部２２Ａ，及び上記曲状面２２２を備えた曲状凹部２２Ｂのほとんどは，上記柾目形成部２０５において形成されている。
【００４２】
また，図３に示すごとく，上記柾目形成部２０５は，これを構成する各木目形成凸部２１を互いに平行に近い状態で長尺状に形成してなる。一方で，上記板目形成部２０６は，これを構成する各木目形成凸部２１を長尺状に形成してなると共に，上記木目調の形成方向Ｌの一方向に向けて山状又は波状等の不規則な形状を形成してなる。
【００４３】
また，図１，図２に示すごとく，上記板目形成部２０６における各木目形成凸部２１の内側壁面２１５には，上記露出表面１０１が形成されている。本例では，上記１ｍｍ以上の直交方向Ｗの幅を有する略平坦面２１１を備えた平坦凸部２１Ａにおける内側壁面２１５に，上記露出表面１０１が形成されている。
一方で，上記板目形成部２０６における各木目形成凸部２１の外側壁面２１６には，上記被覆表面１０２が形成されている。また，上記柾目形成部２０５における各木目形成凸部２１の内側壁面２１５及び外側壁面２１６には，上記被覆表面１０２が形成されている。
【００４４】
また，図１に示すごとく，上記板目形成部２０６における上記１５ｍｍ以上の直交方向Ｗの幅を有する底面２２１を備えたいずれかの平坦凹部２２Ａには，底面２２１よりもさらに陥没した多数の微細凹部２２３が形成されている。そして，上記１５ｍｍ以上の直交方向Ｗの幅を有する平坦凹部２２Ａの底面２２１には，上記露出表面１０１が形成されており，上記多数の微細凹部２２３には，上記被覆表面１０２が形成されている。
【００４５】
また，本例では，上記各木目形成凸部２１における略平坦面２１１において，直交方向Ｗの幅は最大でも１５ｍｍ以下となっている。また，上記各凹部２２における底面２２１において，直交方向Ｗの幅は最大でも５０ｍｍ以下となっている。
また，上記各木目形成凸部２１の直交方向Ｗにおける断面形状は，上記木目調の形成方向Ｌに向けて一定ではなく，複雑に変化している。また，これに伴って，上記各凹部２２の直交方向Ｗにおける断面形状も，上記木目調の形成方向Ｌに向けて一定ではなく，複雑に変化している。
【００４６】
図４は，樹木をこれが伸びる長手方向に沿って挽いたときに，その切断断面に現れる外観を示す図である。そして，本例の建築板１における木目凹凸模様２０３は，同図に示すごとく，樹木の中心（髄）Ｏからずれた位置Ｘ１で挽いたときに現れる板目形成部２０６と柾目形成部２０５とが混在する外観を表現するものである。
一方で，上記木目凹凸模様２０３は，樹木の中心（髄）Ｏの位置Ｘ０又はその近傍の位置Ｘ０を通って挽いたときに現れる柾目形成部２０５のみの外観を表現することもできる。
【００４７】
また，図５に示すごとく，建築板１においては，上記木目凹凸模様２０３によって，樹木の長手方向に沿った切断断面の左右いずれかの年輪による外観を表現することもできる。この場合には，上記木目調の中心側Ｃは，上記建築板１における一方向側Ｃとなり，各木目形成凸部２１は，一方向側Ｃに上記内側壁面２１５を有すると共に，一方向側Ｃとは反対側の他方向側Ｄに上記外側壁面２１６を有することとなる。
【００４８】
また，図３に示すごとく，上記木目凹凸模様２０３は，上記木目調を呈するための各木目形成凸部２１と，節部を呈するための節形成凸部２１Ｃとを有してなる。ここで，節部とは，枝が樹木の成長過程において幹に包み込まれることによりできる部分をいう。
そして，本例においては，上記建築板１の意匠表面２０１は，上記木材（樹木）の年輪の晩材部が突出すると共に上記木材（樹木）の節部が突出した木目調の凹凸外観を有している。
【００４９】
そして，節形成凸部２１Ｃは，以下のように種々の形態で形成されている。
すなわち，図６に示すごとく，１つの形態の節形成凸部２１Ｃは，上記柾目形成部２０５における複数の木目形成凸部２１を分断するよう形成されている。
また，図７に示すごとく，他の形態の節形成凸部２１Ｃは，上記板目形成部２０６における木目形成凸部２１同士の間に形成されている。
なお，上記節形成凸部２１Ｃは，上記建築板１の意匠表面２０１に種々の環状形状として形成されていてもよく，上記意匠表面２０１の端部で分断された状態で形成されていてもよい。
【００５０】
また，図２，図６，図７に示すごとく，上記節形成凸部２１Ｃ内には，この節形成凸部２１Ｃの頂点部２１０よりも陥没してなる節凹部２１３が形成されている。そして，節形成凸部２１Ｃは，その頂点部２１０に１ｍｍ以上の直交方向Ｗの幅を有する略平坦面２１１を有しており，この略平坦面２１１には上記露出表面１０１が形成されている。一方で，上記節凹部２１３には，上記被覆表面１０２が形成されている。
【００５１】
また，上記各木目形成凸部２１Ａ，Ｂ，上記各凹部２２及び上記節形成凸部２１Ｃに形成した露出表面１０１は，下側塗料層３の表面に上側塗料層４を構成するための第２塗料４０を塗布した後，この第２塗料４０が乾燥する前に，この第２塗料４０の一部を掻取り具により掻き取って形成したものである。
また，上記下側塗料層３は，淡色の第１塗料３０を用いて形成し，上記上側塗料層４は，上記第１塗料３０よりも色彩が濃い濃色の第２塗料４０を用いて形成したものである。
【００５２】
なお，色には，色相，明度及び彩度の３属性があるが，本例においては，第１塗料３０及び第２塗料４０は，ほぼ同じ色相を有する同系色の塗料からなり，色彩としての明度を異ならせてなる塗料から構成されている。
なお，第１塗料３０及び第２塗料４０は，色彩としての彩度を異ならせて構成してもよい。
また，上記原板２の意匠表面２０１に，これらの塗料３０，４０の塗装を行う際には，略同一の色素（色相）を有する第１塗料３０及び第２塗料４０を１組とし，この塗料３０，４０の組を，種々の色素についても準備して使い分けることができる。
【００５３】
また，図３，図８に示すごとく，上記建築板１の意匠表面２０１は，上記木目凹凸模様２０３を形成した模様形成領域２４と，この模様形成領域２４よりも陥没した目地溝２５とを有している。そして，この目地溝２５には，上記上側塗料層４による被覆表面１０２が形成されている。
また，本例では，上記目地溝２５は，建築板１の長手方向Ｌに沿って形成された縦目地溝２５Ａと，直交方向Ｗに沿って形成された横目地溝２５Ｂとからなる。
【００５４】
また，図８に示すごとく，建築板１の一方側の端部Ｅには，この縦目地溝２５Ａの底面２５１及び一方側壁２５２が形成されており，建築板１の他方側の端部Ｆには，この縦目地溝２５Ａの他方側壁２５３が形成されている。そして，建築板１を横方向又は縦方向に並べて建築物の外壁に施工したときに１つの縦目地溝２５Ａを形成することができる。また，縦目地溝２５Ａは，建築板１の両端部Ｅ，Ｆ同士の間にも，所定の間隔を保って１箇所又は複数箇所に形成されている。
また，上記目地溝２５に被覆表面１０２を形成したことにより，複数の建築板１を横方向又は縦方向に並べて施工した際に，建築板１同士の間の繋ぎ目１０９が目立たないようにして，上記露出表面１０１による複雑な意匠外観を際立たせることができる。
【００５５】
以下に，意匠表面２０１に上記上側塗料層４による露出表面１０１を形成してなる建築板１を製造する方法につき説明する。
本例の建築板１の製造方法においては，以下の準備工程，下側塗料層形成工程，上側塗料層形成工程，掻取り工程及びクリアー層形成工程を行って，上記建築板１を製造する。
すなわち，図９，図１０に示すごとく，上記準備工程においては，木目凹凸模様２０３を形成してなる意匠表面２０１を有する原板２を準備する。この原板２における木目凹凸模様２０３は，木目調を呈するための複数の木目形成凸部２１Ａ，Ｂと，木目調における節部を呈するための節形成凸部２１Ｃとを有してなる。
【００５６】
本例の原板２は，セメント質原料（セメント，ケイ酸原料等）に，木質原料（木繊維，木チップ等），添加剤及び水等を混合して混合原料とし，これを成形型の成形面上に散布して成形（フォーミング）したセメント系原板２である。
そして，このセメント系原板２の意匠表面２０１には，多数の木目形成凸部２１Ａ，Ｂ及び１つ又は複数の節形成凸部２１Ｃが形成されている。また，このセメント系原板２の意匠表面２０１は，全体の木目形成凸部２１Ａ，Ｂ及び節形成凸部２１Ｃの意匠表面突出高さＨが，ほぼ同一の高さになるよう形成した。
【００５７】
なお，本例の意匠表面突出高さＨとは，図９に示すごとく，上記セメント系原板２の裏面２０２から木目形成凸部２１Ａ，Ｂの頂点部２１０又は節形成凸部２１Ｃの頂点部２１０までの高さ（厚み）Ｈのことをいう。
また，セメント系原板２の意匠表面２０１は，上記各凹部２２の底面２２１から各木目形成凸部２１Ａ，Ｂ及び節形成凸部２１Ｃの頂点部２１０までの高さ（各木目形成凸部２１Ａ，Ｂ及び節形成凸部２１Ｃの頂点部２１０から各凹部２２の底面２２１までの深さ）Ｉが，ほぼ０．７ｍｍとなるよう形成した。
【００５８】
また，図１０に示すごとく，上記セメント系原板２の意匠表面２０１においては，上記木目調の柾目部の外観を呈する柾目形成部２０５と，上記木目調の板目部の外観を呈する板目形成部２０６と，上記節部の外観を呈する節形成凸部２１Ｃとにより，木材の外観に近似した複雑でリアリティのある凹凸外観が形成されている。
【００５９】
次いで，図１１に示すごとく，上記下側塗料層形成工程においては，上記セメント系原板２の意匠表面２０１に第１塗料３０を塗布し，この第１塗料３０を乾燥させる。そして，セメント系原板２の意匠表面２０１の全体，すなわち，木目凹凸模様２０３を形成した模様形成領域２４及び上記目地溝２５の全体に，下側塗料層３を形成する。
【００６０】
次いで，上記上側塗料層形成工程においては，上記下側塗料層３の表面に第２塗料４０を塗布して，上側塗料層４を形成する。本例では，この第２塗料４０には，水系の塗料を用いた。
上記掻取り工程においては，図１２に示すごとく，上記セメント系原板２の意匠表面２０１に当接して第２塗料４０の一部を掻き取る掻取り具としての掻取りロール５１と，この掻取りロール５１に対向配設すると共に，上記セメント系原板２の裏面２０２に当接するバックアップロール５２とを有する掻取り装置５を用いる。
【００６１】
そして，セメント系原板２を，掻取りロール５１とバックアップロール５２との間の隙間５３に搬入させたときには，掻取りロール５１のロール表面５１０には，第２塗料４０を塗布したセメント系原板２の意匠表面２０１が当接し，バックアップロール５２のロール表面５２０には，セメント系原板２の裏面２０２が当接する。
【００６２】
そして，図１３に示すごとく，上記掻取り工程においては，上記塗布した第２塗料４０が乾燥する前に，この第２塗料４０を塗布したセメント系原板２の意匠表面２０１に掻取りロール５１を当接させる。
このとき，同図に示すごとく，各木目形成凸部２１Ａ，Ｂと節形成凸部２１Ｃとの意匠表面突出高さＨは，略同一になるよう形成されているため，掻取りロール５１のロール表面５１０は，いずれの各木目形成凸部２１Ａ，Ｂ及び節形成凸部２１Ｃに対しても当接する。
【００６３】
また，このとき，図１３に示すごとく，上記平坦凹部２２Ａにおける１５ｍｍ以上の直交方向Ｗの幅を有する底面２２１に対しても，掻取りロール５１のロール表面５１０が当接する。また，１５ｍｍ以上の直交方向Ｗの幅を有する底面２２１を備えた平坦凹部２２Ａに隣接する木目形成凸部２１の内側壁面２１５にも，掻取りロール５１のロール表面５１０が当接する。
【００６４】
そして，図１４に示すごとく，上記木目形成凸部２１としての平坦凸部２１Ａにおける１ｍｍ以上の直交方向Ｗの幅を有する略平坦面２１１に塗布された第２塗料４０は，掻取りロール５１のロール表面５１０に付着して掻き取られる。
また，図１４に示すごとく，上記平坦凹部２２Ａにおける１５ｍｍ以上の直交方向Ｗの幅を有する底面２２１及びこの平坦凹部２２Ａに隣接する木目形成凸部２１の内側壁面２１５に塗布された第２塗料４０もまた，掻取りロール５１のロール表面５１０に付着して掻き取られる。
また，図１５に示すごとく，上記節形成凸部２１Ｃの頂点部２１０に塗布された第２塗料４０もまた，掻取りロール５１のロール表面５１０に付着して掻き取られる。
【００６５】
そして，図１，図２に示すごとく，上記掻取りが行われた平坦凸部２１Ａにおける１ｍｍ以上の直交方向Ｗの幅を有する略平坦面２１１，節形成凸部２１Ｃの頂点部２１０，上記平坦凹部２２Ａにおける１５ｍｍ以上の直交方向Ｗの幅を有する底面２２１及びこの平坦凹部２２Ａに隣接する木目形成凸部２１の内側壁面２１５には，上記下側塗料層３が露出した露出表面１０１が形成される。
【００６６】
一方で，上記掻取りが行われていない木目凹凸模様２０３における残りの部分には，上記下側塗料層３の表面を上記第２塗料４０による上側塗料層４が覆った被覆表面１０２が形成される。すなわち，上記平坦凸部２１Ａにおける１ｍｍ未満の直交方向Ｗの幅を有する略平坦面２１１，上記曲状凸部２１Ｂ，上記節形成凸部２１Ｃ内の節凹部２１３，上記平坦凹部２２Ａにおける１５ｍｍ未満の直交方向Ｗの幅を有する底面２２１，上記曲状凹部２２Ｂ，上記微細凹部２２３，上記木目形成凸部２１の外側壁面２１６等には，被覆表面１０２が形成される。
【００６７】
特に，上記平坦凸部２１Ａにおける１ｍｍ未満の直交方向Ｗの幅を有する略平坦面２１１，上記曲状凸部２１Ｂに塗布された第２塗料４０は，掻取りロール５１のロール表面５１０に当接しながらもこの掻取りロール５１によって掻き取られずに，上記意匠表面２０１に残存する。
【００６８】
このように，上記平坦凸部２１Ａにおける１ｍｍ以上の直交方向Ｗの幅を有する略平坦面２１１に露出表面１０１が形成された理由としては，この平坦凸部２１Ａにおける略平坦面２１１は比較的広い接触面積で掻取りロール５１に当接したためであると考えられる。すなわち，掻取りロール５１によって，セメント系原板２の意匠表面２０１に塗布した第２塗料４０を掻き取るには，ロール表面に対する接触幅が１ｍｍ以上必要であると考えられる。
【００６９】
また，上記節形成凸部２１Ｃの頂点部２１０に露出表面１０１が形成された理由としては，この節形成凸部２１Ｃの頂点部２１０には，１ｍｍ以上の直交方向Ｗの幅を有する略平坦面２１１が形成されていたためであると考える。そして，この節形成凸部２１Ｃの略平坦面２１１が比較的広い接触面積で掻取りロール５１に当接したためであると考えられる。
【００７０】
また，上記平坦凹部２２Ａにおける１５ｍｍ以上の直交方向Ｗの幅を有する底面２２１に露出表面１０１が形成された理由としては，この平坦凹部２２Ａにおける底面２２１が，その直交方向Ｗの幅が１５ｍｍ以上と大きいことにより，掻取りロール５１に当接することができ，この当接の際に比較的広い（１５ｍｍ以上の）接触面積で当接することができたためであると考えられる。
【００７１】
また，上記１５ｍｍ以上の直交方向Ｗの幅を有する底面２２１を備えた平坦凹部２２Ａに隣接する木目形成凸部２１の内側壁面２１５に露出表面１０１が形成された理由としては，平坦凹部２２Ａにおける底面２２１の直交方向Ｗの幅が１５ｍｍ以上と大きく，木目形成凸部２１の内側壁面２１５が緩やかな緩傾斜状に形成されていることにより，この木目形成凸部２１の内側壁面２１５が掻取りロール５１に当接することができたためであると考えられる。
【００７２】
一方で，上記平坦凸部２１Ａにおける１ｍｍ未満の直交方向Ｗの幅を有する略平坦面２１１及び上記曲状凸部２１Ｂに被覆表面１０２が形成された理由としては，以下のように考えられる。すなわち，上記１ｍｍ未満の直交方向Ｗの幅を有する略平坦面２１１及び曲状凸部２１Ｂは掻取りロール５１に対して当接するものの，その接触面積が小さい。そのため，この略平坦面２１１及び曲状凸部２１Ｂに塗布された第２塗料４０が掻取りロール５１に付着して掻き取られることはあっても，この掻き取られた部分がその周辺の第２塗料４０により補填されたためであると考えられる。
【００７３】
また，上記節形成凸部２１Ｃ内の節凹部２１３，上記平坦凹部２２Ａにおける１５ｍｍ未満の直交方向Ｗの幅を有する底面２２１，上記曲状凹部２２Ｂ，上記微細凹部２２３，上記木目形成凸部２１の外側壁面２１６等に被覆表面１０２が形成された理由としては，これらは掻取りロール５１に当接しなかったためであると考えられる。
【００７４】
なお，上記各木目形成凸部２１Ａ，Ｂ，節形成凸部２１Ｃ，各凹部２２の各部への露出表面１０１の形成には，上記直交方向Ｗの幅以外にも，掻取りロール５１の材質，掻取りロール５１のロール表面５１０の硬度等も若干影響していると考えられる。本例では，上記掻取りロール５１は，ブチルスポンジゴム等のスポンジ材料よりなるスポンジ層５１１と，ゴム硬度が約５０度のＥＰＤＭ（エチレンプロピレンゴム）等のゴム材料よりなると共に上記スポンジ層５１１の外周側に配設したゴム層５１２とを用いて構成した（図１２参照）。
【００７５】
次いで，図示は省略するが，上記露出表面１０１及び被覆表面１０２を形成したセメント系原板２を乾燥させた後には，上記クリアー層形成工程として，上記乾燥させた露出表面１０１及び被覆表面１０２に，クリアー塗料層を形成するためのクリアー塗料を塗布して乾燥させる。そして，セメント系原板２の意匠表面２０１の最表面に，耐候性等を向上させるためのクリアー塗料層を形成する。
こうして，上記各平坦凸部２１Ａ，各平坦凹部２２Ａ及び節形成凸部２１Ｃに露出表面１０１を形成してなる建築板１を製造することができる。
【００７６】
以下に，上記建築板１及びその製造方法における作用効果につき説明する。
上記のごとく，本例においては，上記平坦凸部２１Ａにおける１ｍｍ以上の直交方向Ｗの幅を有する略平坦面２１１，上記節形成凸部２１Ｃの頂点部２１０，上記平坦凹部２２Ａにおける１５ｍｍ以上の直交方向Ｗの幅を有する底面２２１及びこの平坦凹部２２Ａに隣接する木目形成凸部２１の内側壁面２１５には，上記淡色の第１塗料３０からなる下側塗料層３が露出した露出表面１０１を形成した。一方で，上記建築板１の意匠表面２０１において，露出表面１０１を形成した以外の部分には，下側塗料層３の表面を上記濃色の第２塗料４０からなる上側塗料層４で覆った被覆表面１０２を形成した。
【００７７】
そして，上記建築板１の意匠表面２０１においては，上記木目凹凸模様２０３の各木目形成凸部２１だけにおいて，また各凹部２２だけにおいても，下側塗料層３による淡色の色外観を呈する露出表面１０１と，上側塗料層４による濃色の色外観を呈する被覆表面１０２とが混在している。そのため，建築板１の意匠表面２０１は，従来のように各部（凹凸）の意匠表面突出高さＨの違いに対応して異なる色外観を呈するのではなく，各木目形成凸部２１だけにおいて，また各凹部２２だけにおいても異なる色外観を呈することができる。
また，上記節形成凸部２１Ｃの形成により，上記建築板１は，あたかも実際の木材より製作した木材板であるかのような複雑でリアリティのある意匠外観を呈することができる。
【００７８】
また，上記各木目形成凸部２１には傾斜角度の異なる各内側壁面２１５及び各外側壁面２１６を形成し，各内側壁面２１５は上記木目調の中心側Ｃを向く明確な方向性を有して形成したことにより，緩傾斜状の各内側壁面２１５には光が照射され易く，各外側壁面２１６には光が照射され難い状態を形成することができる。また，上記露出表面１０１は各内側壁面２１５にのみ形成したことにより，各内側壁面２１５は明るい外観を呈し，各外側壁面２１６は暗い外観を呈することができる。そのため，建築板１の意匠表面２０１の各木目形成凸部２１には，意図的に陰影効果を発揮させることもできる。
それ故，上記建築板１の意匠表面２０１は，より複雑であると共に，リアリティのある立体的な木目調の意匠外観を呈することができる。
【図面の簡単な説明】
【図１】実施例における，建築板の意匠表面における木目形成凸部及び凹部を拡大して示す断面説明図。
【図２】実施例における，建築板の意匠表面における節形成凸部の形成部位を拡大して示す断面説明図。
【図３】実施例における，建築板の意匠表面を示す平面図。
【図４】実施例における，樹木を挽いたときの切断断面の状態を示す説明図。
【図５】実施例における，木目調の中心側を一方向側に有する他の建築板の意匠表面における木目形成凸部及び凹部を拡大して示す断面説明図。
【図６】実施例における，木目形成凸部の一部を分断するよう形成した節形成凸部を示す平面図。
【図７】実施例における，木目形成凸部同士の間に形成した節形成凸部を示す平面図。
【図８】実施例における，建築板を横方向又は縦方向に並べて施工した状態を示す断面説明図。
【図９】実施例における，セメント系原板の一部を拡大して示す断面説明図。
【図１０】実施例における，セメント系原板の意匠表面を示す平面図。
【図１１】実施例における，下側塗料層を形成したセメント系原板の一部を拡大して示す断面説明図。
【図１２】実施例における，塗料の掻取り装置を示す説明図。
【図１３】実施例における，第２塗料を塗布したセメント系原板の意匠表面に，掻取りロールを当接させた状態の一部を拡大して示す断面説明図。
【図１４】実施例における，セメント系原板の意匠表面における平坦凸部の略平坦面及び平坦凹部の底面から第２塗料を掻き取った状態を拡大して示す断面説明図。
【図１５】実施例における，セメント系原板の意匠表面における節形成凸部の略平坦面から第２塗料を掻き取った状態を拡大して示す断面説明図。
【符号の説明】
１．．．建築板，
１０１．．．露出表面，
１０２．．．被覆表面，
２．．．セメント系原板（原板），
２０１．．．意匠表面，
２０２．．．裏面，
２０３．．．木目凹凸模様，
２１Ａ．．．平坦凸部（木目形成凸部），
２１Ｂ．．．曲状凸部（木目形成凸部），
２１Ｃ．．．節形成凸部，
２１０．．．頂点部，
２１１．．．略平坦面，
２１２．．．曲状端部，
２１３．．．節凹部，
２１５．．．内側壁面，
２１６．．．外側壁面，
２２Ａ．．．平坦凹部（凹部），
２２Ｂ．．．曲状凹部（凹部），
２２１．．．底面，
２２２．．．曲状面，
２２３．．．微細凹部，
２４．．．模様形成領域，
２５．．．目地溝，
３．．．下側塗料層，
３０．．．第１塗料，
４．．．上側塗料層，
４０．．．第２塗料，
Ｃ．．．中心側，
Ｄ．．．他方側，
５１．．．掻取りロール，
【図１】
0003695452.tif 000002
【図２】
0003695452.tif 000003
【図３】
0003695452.tif 000004
【図４】
0003695452.tif 000005
【図５】
0003695452.tif 000006
【図６】
0003695452.tif 000007
【図７】
0003695452.tif 000008
【図８】
0003695452.tif 000009
【図９】
0003695452.tif 000010
【図１０】
0003695452.tif 000011
【図１１】
0003695452.tif 000012
【図１２】
0003695452.tif 000013
【図１３】
0003695452.tif 000014
【図１４】
0003695452.tif 000015
【図１５】
0003695452.tif 000016